(57)【要約】      （修正有）【課題】印刷処理において、文字の可読性を維持しつつ、消費電力を低減することができる画像形成装置を提供する。【解決手段】画像形成装置のバッテリ残量に応じて、文字以外の属性（グラフィック、及び／又はイメージ）の濃度を調整して（濃度を落として）印刷処理を実行することで、インクジェットヘッドの駆動電流を抑制し、画像形成装置の消費電力を低減する。また、インクジェットヘッドのインク吐出方向を、バッテリ残量に応じて、片方向（通常印刷）より双方向に切り替えて印刷することで、インクジェットヘッドの移動回数を減らし、画像形成装置の消費電力を低減する。【選択図】図５
2015217617.tif 000002
【特許請求の範囲】
【請求項１】
バッテリにより駆動される画像形成装置であって、
印刷用データに特定のオブジェクト以外のオブジェクトが含まれるか否かを解析する画像解析手段と、
前記バッテリの残量を取得するバッテリ残量取得手段と、
前記画像解析手段により、印刷用データに前記特定のオブジェクト以外のオブジェクトが含まれていると解析されたとき、前記特定のオブジェクト以外のオブジェクトの印刷濃度を、前記バッテリ残量取得手段により取得されたバッテリ残量に応じた通常より低い濃度に調整する濃度調整手段と、
を有する画像形成装置。
【請求項２】
請求項１に記載された画像形成装置において、
前記バッテリ残量取得手段により取得されたバッテリ残量に応じて、記録ヘッドによる片方向印刷又は双方向印刷を切り替えるように制御するエンジン制御手段を有する画像形成装置。
【請求項３】
請求項１又は２に記載された画像形成装置において、
画像形成時に生成する、複数の駆動パルスで構成される駆動波形を、前記バッテリ残量取得手段により取得されたバッテリ残量に応じた通常より長い生成時間で生成するように制御するエンジン制御手段を有する画像形成装置。
【請求項４】
請求項１ないし３のいずれかに記載された画像形成装置において、
前記特定のオブジェクトが文字オブジェクトである画像形成装置。
【請求項５】
バッテリにより駆動する画像形成装置における画像形成方法であって、
印刷用データに特定のオブジェクト以外のオブジェクトが含まれるか否かを解析する画像解析工程と、
前記バッテリの残量を取得するバッテリ残量取得工程と、
前記画像解析工程において、印刷用データに前記特定のオブジェクト以外のオブジェクトが含まれていると解析されたとき、前記特定のオブジェクト以外のオブジェクトの印刷濃度を、前記バッテリ残量取得工程において取得されたバッテリ残量に応じた通常より低い濃度に調整する濃度調整工程と、
を有する画像形成装置における画像形成方法。
【発明の詳細な説明】
【技術分野】
【０００１】
本発明は、消費電力を低減する画像形成装置及び画像形成方法に関する。
【背景技術】
【０００２】
従来から、停電時、又は所定の場所以外で使用する場合等、商用電源より画像形成装置に電源を供給することができない場合、バッテリ（蓄電池）より電源を供給し、画像形成装置を稼働させることが知られている。
【０００３】
このような画像形成装置のほとんどは、バッテリで稼働させる際、画像形成装置の消費電力を低減させ、稼働時間を延長させている。一例として、画像を形成する上で、バッテリ残量に応じて、消費電力の少ない画像形成方法を選択することで（低電力用の画像データを形成することで）、バッテリでの稼働時間を向上させた画像形成装置が知られている（特許文献１）。
【０００４】
特許文献１に記載された画像形成装置では、バッテリ残量に応じて、例えば、文字サイズを小さくすること、書体を変更すること、また文字や下線を無くすこと等により、インクジェットヘッドの駆動電流を抑制し、画像データを形成すること（印刷処理を実行すること）で、消費電力を低減している。
【０００５】
しかしながら、特許文献１に記載された画像形成装置では、消費電力を低減させるために文字の特徴を変更することから、文字が読みにくくなる、また文書内で強調したい部分の特性が無くなる等、可読性（読み易さ）が低下するという問題がある。
【発明の概要】
【発明が解決しようとする課題】
【０００６】
本発明は、前記従来の問題に鑑みてなされたものであって、その目的は、文字の可読性を維持しつつ、画像形成装置の消費電力を低減することを目的とする。
【課題を解決するための手段】
【０００７】
本発明は、バッテリにより駆動される画像形成装置であって、印刷用データに特定のオブジェクト以外のオブジェクトが含まれるか否かを解析する画像解析手段と、前記バッテリの残量を取得するバッテリ残量取得手段と、前記画像解析手段により、印刷用データに前記特定のオブジェクト以外のオブジェクトが含まれていると解析されたとき、前記特定のオブジェクト以外のオブジェクトの印刷濃度を、前記バッテリ残量取得手段により取得されたバッテリ残量に応じた通常より低い濃度に調整する濃度調整手段と、を有する画像形成装置に関する。
【発明の効果】
【０００８】
本発明によれば、文字の可読性を維持しつつ、画像形成装置の消費電力を低減することができる。
【図面の簡単な説明】
【０００９】
【図１】本発明の実施形態に係る画像形成装置とクライアント端末を示す図である。
【図２】本発明の実施形態に係る画像形成装置のユーザ利用方法を示す図である。
【図３】本発明の実施形態に係る画像形成装置の内部構成を示す図である。
【図４】本発明の実施形態に係る画像形成装置の画像形成部の内部構成を示す図である。
【図５】本発明の実施形態に係る画像形成装置の画像形成部の処理内容を示すフロー図である。
【図６】濃度調整係数テーブル、及び色変換式を示す。
【図７】インクジェットヘッドのインク吐出方向の切り替えについて示す図である。
【図８】本発明の実施形態に係る画像形成装置を用いて、通常印刷した場合と、濃度を調整して印刷した場合の印刷結果を示す。
【発明を実施するための形態】
【００１０】
以下、本発明の実施形態について図面を参照して説明する。
図１は、本発明の実施形態に係る画像形成装置とクライアント端末を示す図である。図１に示すように、画像形成装置１００及びクライアント端末２００は、画像形成システム１を構成する。
画像形成装置１００は、例えば、（商用電源以外に）バッテリ電源においても駆動可能なプリンタ等である。
クライアント端末２００は、印刷ジョブ（例えば、印刷用データ、カラー／モノクロ、片面／両面、用紙サイズ等）を送信するための端末であり、画像形成装置１００との通信を行う。
なお、画像形成装置１００とクライアント端末２００は、例えば、ＵＳＢ（Universal Serial Bus）ケーブル、ＬＡＮ（Local Area Network）ケーブル等の有線、又は、Ｗｉｒｅｌｅｓｓ  ＵＳＢ、無線ＬＡＮ等の無線を用いて接続される。
【００１１】
図２は、本発明の実施形態に係る画像形成装置１００のユーザ利用方法を示す図である。
ユーザ３００は、画像形成装置１００の操作部（例えば、操作パネル等の設定項目）３０より、画像形成装置１００の操作をすることができる。操作部３０の操作では、例えば、図２に示すように、ユーザ３００は、バッテリ残量に応じて画質を調整することができる。
【００１２】
具体的には、ユーザ３００が、操作部３０において「オン（即ち、バッテリ残量に応じて画質を調整すること）」を選択すると、画像形成装置１００は、画像形成部により画像の印刷濃度を調整して印刷する。また、ユーザ３００が、操作部３０において「オフ（即ち、バッテリ残量に応じて画質を調整しないこと）」を選択すると、画像形成装置１００は、通常の印刷処理を行う。
【００１３】
また、ユーザ３００により操作部３０において「オン」が選択されると、操作パネル（操作部３０）に後述の濃度調整係数テーブルが表示され、ユーザ３００は、印刷処理時におけるグラフィック、イメージ、文字の濃度を調整することもできる。
なお、「バッテリ残量に応じた画質自動調整」及び／又は「濃度調整係数」は、クライアント端末２００にインストールされた所定のソフトウェアからも設定することができる。
【００１４】
図３は、本発明の実施形態に係る画像形成装置１００の内部構成を示す図である。
画像形成装置１００は、図３に示すように、主にＣＰＵ（Central Processing Unit）１０、送受信部２０、操作部３０、画像形成部４０、バッテリ制御部５０、エンジン制御部６０、ヘッド駆動部７０、メモリ８０より構成される。
【００１５】
ＣＰＵ１０は、画像形成装置１００全体を制御するメインコントローラである。
送受信部２０は、クライアント端末２００との通信を制御し、例えば、クライアント端末２００から印刷ジョブを受信する。
操作部３０は、ユーザ３００が画像形成装置１００を操作するためのインタフェースであり、図２の操作パネル等が操作部３０に該当する。
【００１６】
画像形成部４０は、送受信部２０により受信された印刷用データより画像データを形成する。詳細は、図４において後述するが、ユーザ３００により操作部３０においてバッテリ残量に応じた画質自動調整が「オン」に設定されると、画像形成部４０は、濃度調整係数（画像濃度を調整するための係数）に応じて、画像データを形成する。なお、本実施形態において、画像形成部４０は、文字部分の濃度は変更せず、文字以外の部分の濃度を落として、画像データを形成する。
【００１７】
バッテリ制御部５０は、画像形成装置１００の駆動用のバッテリの充放電の制御、バッテリ残量の検出等、バッテリの状態を制御する。
エンジン制御部６０は、画像形成装置１００のハードウェアリソース（例えば、印刷部、給紙部、ヘッド駆動部、用紙搬送部等）を制御する。
ヘッド駆動部７０は、エンジン制御部６０からの制御用データに基づいて、インクジェットヘッドを駆動し、インク滴を吐出させて画像を形成させる。なお、本実施形態では、インクジェットヘッドを例に説明するが、その他の記録ヘッド、例えば、感熱記録ヘッド等を用いてもよい。
【００１８】
メモリ８０は、画像データ等を一時的に格納するＲＡＭ（Random Access Memory）と、その他の固定データを格納するＲＯＭ（Read Only Memory）と、画像形成装置の電源が遮断されてもデータを保持するための書き換え可能な不揮発性メモリ（ＮＶＲＡＭ）より構成される。
また、メモリ８０には、後述する画像データ解析において、画像データに文字データが含まれているか否かを判定（照合）するにあたり、所定の文字が、フォント、また文字スタイルごとに格納される。ここで、フォントとは、例えば、明朝体やゴシック体等の書体、フォントサイズ等の書式のことであり、また文字スタイルとは、例えば、斜体、太字、影付き、中抜き等の書式のことである。
【００１９】
図４は、本発明の実施形態に係る画像形成装置１００の画像形成部４０の内部構成を示す図である。
画像形成部４０は、図４に示すように、主に受信データ制御部４１、画像データ解析部４２、操作部情報取得部４３、バッテリ残量取得部４４、描画方法選択部４５、色変換データ取得部４６、色変換処理部４７、エンジン制御データ生成部４８、エンジン動作指示部４９より構成される。
【００２０】
受信データ制御部４１は、送受信部２０から印刷用データを受信する。
画像データ解析部４２は、受信データ制御部４１により受信された印刷用データに、グラフィック、又は／及びイメージが含まれるか否か（文字以外のオブジェクトが含まれるか否か）を判定する。
具体的には、画像データ解析部４２は、印刷用データに含まれるオブジェクトに対して、メモリ８０に登録されている文字と照合し、照合することができない場合に文字以外のオブジェクト（グラフィック、又は／及びイメージ）が含まれていると判定する。なお、画像データ解析部４２は、文字以外のオブジェクトが含まれているか否かを判定するにあたり、画像そのものが文字を形成する場合には、文字データと判定する。
また、ここで、グラフィックとは、図形やグラフ等のオブジェクト（後述の図８の「２．１」）のことであり、イメージとは、写真画像等のオブジェクト（後述の図８の「２．２」）のことである。
【００２１】
操作部情報取得部４３は、ユーザ３００が操作部３０にて設定した項目（操作部設定情報）を取得する。本実施形態において、操作部情報取得部４３は、バッテリ残量に応じた画質自動調整の設定値（オン、又はオフ）を取得する。
バッテリ残量取得部４４は、バッテリ制御部５０より、画像形成装置１００のバッテリ残量を取得する。
描画方法選択部４５は、バッテリ残量取得部４４により取得されたバッテリ残量に応じて、（消費電力を低減した）描画方法を選択する。
【００２２】
色変換データ取得部４６は、色変換処理部４７で用いられる色変換データ（カラーマッチング変換用データ、ＢＧ／ＵＣＲ（Black Generation/ Under Color Removal；ＣＭＹの値からの黒生成／下色除去）データ、総量規制データ、ガンマデータ、ディザデータ）を取得する。色変換データには、バッテリ残量に応じて、複数の異なるデータが設定される。
色変換処理部４７は、操作部設定情報、バッテリ残量、濃度調整係数、色変換データを元に色変換を行う。
【００２３】
エンジン制御データ生成部４８は、エンジン制御用のデータを生成する。
エンジン動作指示部４９は、エンジン制御データ生成部４８により生成されたデータに基づき、エンジン制御部６０に対して、具体的な動作指示を行う。
【００２４】
図５は、画像形成部４０の処理内容を示すフロー図である。
画像形成部４０は、印刷用データが受信されるまで待機し（Ｓ１０１ Ｎｏ）、受信データ制御部４１において印刷用データが受信されると（Ｓ１０１ Ｙｅｓ）、画像データ解析部４２により印刷用データを解析する（Ｓ１０２）。
印刷用データを解析した結果（Ｓ１０２）、印刷用データに、グラフィック、又は／及びイメージが含まれている場合（Ｓ１０３ Ｙｅｓ）、操作部情報取得部４３は、ユーザ３００が操作部３０にて設定した「バッテリ残量に応じた画質自動調整」の設定値（操作部設定情報）を取得する（Ｓ１０４）。
【００２５】
そして、操作部情報取得部４３により取得された「バッテリ残量に応じた画質自動調整」の設定値が「オン」である場合（Ｓ１０５ オン）、バッテリ残量取得部４４は、バッテリ制御部５０よりバッテリ残量を取得する（Ｓ１０６）。
バッテリ残量が取得されると（Ｓ１０６）、描画方法選択部４５は、取得されたバッテリ残量に応じて、描画方法を選択する（Ｓ１０７）。
【００２６】
具体的には、描画方法選択部４５は、バッテリ残量取得部４４により取得されたバッテリ残量が予め設定したバッテリ残量範囲（例えば、第１範囲を１００％〜５０％、第２範囲を５０％未満〜２０％、第３範囲を２０％未満）のどの範囲に属するかを判定し、その判定されたバッテリ残量範囲に応じて描画方法を選択する（Ｓ１０７）。
【００２７】
ステップＳ１０７において、バッテリ残量範囲が第１範囲（１００％〜５０％）の描画方法が描画方法選択部４５により選択されると（Ｓ１０７ 第１範囲）、色変換データ取得部４６は、濃度調整係数テーブル１（図６）に設定された、バッテリ残量範囲が第１範囲の濃度調整係数を取得する（Ｓ１０８）。
なお、濃度調整係数テーブル等については後述する。
【００２８】
色変換データ取得部４６により第１範囲の濃度調整係数が取得されると（Ｓ１０８）、色変換処理部４７は、図６の色変換式の計算を実行する（Ｓ１０９）。
色変換式の計算が実行されると（Ｓ１０９）、色変換データ取得部４６は、通常印刷用の色変換データ、即ち色変換処理で用いられる色変換データ（カラーマッチングデータ、ＢＧ／ＵＣＲデータ、総量規制データ、ガンマデータ、ディザデータ）を取得する（Ｓ１１０）。
【００２９】
なお、（詳細は図７において後述するが）本実施形態では、色変換データ取得部４６により取得される色変換データとして、ヘッドのインク吐出を走査方向における片方向にして印刷する場合の色変換データ（通常印刷用の色変換データ）と、ヘッドのインク吐出を走査方向における双方向にして印刷する場合の色変換データ（双方向印刷用の色変換データ）を設定しており、さらに、双方向印刷用の色変換データは、波形生成時間により、２つに分けて設定している。また、これらの色変換データは、バッテリ制御部５０により取得されるバッテリ残量に応じて、選択される。
【００３０】
ステップＳ１１０では、バッテリ残量範囲が第１範囲の描画方法を選択していることから、色変換データ取得部４６は、図７に関して後述するように、通常印刷用の色変換データを取得する。
【００３１】
ステップＳ１１０において通常印刷用の色変換データを取得すると、色変換処理部４７は、取得した色変換データに基づいて画色変換を実行し（Ｓ１１１）、エンジン制御データ生成部４８は、画色変換したエンジン制御データを生成する（Ｓ１１２）。なお、エンジン制御データ生成部４８がエンジン制御データを生成する上で、ヘッドのインク吐出の走査方向も考慮される。即ち、ヘッドのインク吐出の走査方向を片方向にして印刷する場合と、双方向にして印刷する場合とでは、異なるエンジン制御データが生成される。
エンジン制御データが生成されると（Ｓ１１２）、エンジン動作指示部４９は、エンジンのヘッドのインク吐出の走査方向を片方向（以下、通常印刷方向）に設定し（Ｓ１１３）、エンジン制御部６０に動作指示を行う（Ｓ１１４）。
【００３２】
また、ステップＳ１０７において、バッテリ残量範囲が第２範囲（５０％未満〜２０％）の描画方法が選択されると（Ｓ１０７ 第２範囲）、色変換データ取得部４６は、図７に関して後述するように、色変換処理で用いられる双方向印刷用の色変換データ１を取得する（Ｓ１１５）。
ステップＳ１１５において双方向印刷用の色変換データ１を取得すると、色変換処理部４７は、取得した色変換データに基づいて画色変換を実行し（Ｓ１１６）、エンジン制御データ生成部４８は、画色変換したエンジン制御データを生成する（Ｓ１１７）。
【００３３】
エンジン制御データが生成されると（Ｓ１１７）、エンジン動作指示部４９は、エンジンのヘッドのインク吐出方向を双方向に設定し（Ｓ１１８）、エンジン制御部６０に動作指示を行う（Ｓ１１４）。
【００３４】
また、ステップＳ１０７において、バッテリ残量範囲が第３範囲（２０％未満）の描画方法が選択されると（Ｓ１０７ 第３範囲）、色変換データ取得部４６は、濃度調整係数テーブル３（図６）に設定された、バッテリ残量範囲が第３範囲の濃度調整係数を取得する（Ｓ１１９）。
【００３５】
色変換データ取得部４６により第３範囲の濃度調整係数が取得されると（Ｓ１１９）、色変換処理部４７は、色変換式の計算を実行する（Ｓ１２０）。
【００３６】
色変換式の計算を実行すると（Ｓ１２０）、色変換データ取得部４６は、図７について後述するように、色変換処理で用いられる双方向印刷用の色変換データ２を取得する（Ｓ１２１）。
ステップＳ１２１において双方向印刷用の色変換データ２を取得すると、色変換処理部４７は、取得した色変換データに基づいて画色変換を実行し（Ｓ１２２）、エンジン制御データ生成部４８は、画色変換したエンジン制御データを生成する（Ｓ１２３）。
【００３７】
エンジン制御データが生成されると（Ｓ１２３）、エンジン動作指示部４９は、エンジンのヘッドのインク吐出の走査方向を双方向に設定し（Ｓ１２４）、エンジン制御部６０に動作指示を行う（Ｓ１１４）。
【００３８】
また、操作部情報取得部４３により取得された「バッテリ残量に応じた画質自動調整」の設定値が「オフ」である場合（Ｓ１０５ オフ）、色変換データ取得部４６は、色変換処理で用いられる通常印刷用の色変換データを取得する（Ｓ１２５）。
ステップＳ１２５において通常印刷用の色変換データを取得すると、色変換処理部４７は、取得した色変換データに基づいて画色変換を実行し（Ｓ１２６）、エンジン制御データ生成部４８は、画色変換したエンジン制御データを生成する（Ｓ１２７）。
【００３９】
エンジン制御データが生成されると（Ｓ１２７）、エンジン動作指示部４９は、エンジンのヘッドのインク吐出方向を通常印刷方向に設定し（Ｓ１２８）、エンジン制御部６０に動作指示を行う（Ｓ１２９）。
【００４０】
なお、ステップＳ１０３において、画像データ解析部４２により印刷用データにグラフィック、又は／及びイメージが含まれていない（即ち、印刷用データが文字データのみで構成されている）と解析された場合（Ｓ１０３ Ｎｏ）、画像形成装置１００は、ステップＳ１０５においてバッテリ残量に応じた画質自動調整がオフに設定されていると判定した場合と同様に、ステップＳ１２５からステップＳ１２９までの処理を実行する。
【００４１】
図６は、以上で述べた濃度調整係数テーブル、及び色変換式を示す。
濃度調整係数テーブルは、画像属性（グラフィック、イメージ、文字）の濃度調整係数（濃度落とす係数）を設定するためのテーブルである。
本発明の実施形態に係る画像形成装置１００では、文字部分の濃度を落とさないことを前提としているため、文字に関する濃度調整係数を１００％に設定し、文字以外（グラフィック及びイメージ）の濃度調整係数を１００％以下に設定する。
図６に示すように、バッテリ残量に応じた濃度調整係数が濃度調整係数テーブル１から３に予め設定され、色変換データ取得部４６は、バッテリ残量取得部４４により取得されたバッテリ残量に応じて、濃度調整係数テーブル（濃度調整係数テーブルに設定された濃度調整係数）を選択する。
なお、（バッテリ残量に応じた）グラフィック及びイメージの濃度調整係数は、前述のように、ユーザ３００により、操作部３０において設定することができる。
【００４２】
このように、文字に関する濃度調整係数を１００％に設定し、またグラフィック及びイメージの濃度調整係数を１００％未満に設定することで、文字部分の濃度を維持した上で、グラフィック及びイメージの濃度を落とすことができる（消費電力を低減することができる）。
また、色変換式は、濃度調整係数テーブルに設定された各濃度調整係数に基づいて、印刷用データの色データを変換するための数式である。
具体的には、入力色値に濃度調整係数テーブルで設定した濃度調整係数を掛け合わせることで、出力色値を算出する（色データを変換する）。また、入力色値が加法混色（ＲＧＢ）で示される場合には、入力色値を減法混色（ＣＭＹ）に変換した上で、濃度調整係数を掛け合わせる。
【００４３】
図７は、インクジェットヘッドのインク吐出を走査方向における片方向で印刷する場合と、双方向で印刷する場合との切り替えについて示す図である。
図７に示すように、バッテリ残量（残量範囲）に応じて、色変換データが選択される。バッテリ残量範囲が第１範囲にある場合には通常印刷用の色変換データが選択され、第２範囲にある場合には双方向印刷用の色変換データ１が選択され、第３範囲にある場合には双方向印刷用の色変換データ２が選択される。
バッテリ残量が少ない第２範囲及び第３範囲では、消費電力を低減するために、インクジェットヘッドのインク吐出を走査方向における双方向で印刷するように制御し、インクジェットヘッドの動く回数を少なくしている。また、バッテリ残量が第３範囲にある場合には、第２範囲にある場合に比べて、複数の駆動パルスで構成される駆動波形の生成時間を長く（即ち、印刷速度を遅く）設定することで、消費電力をさらに低減している。
【００４４】
図８に、本発明の実施形態に係る画像形成装置１００により、通常印刷した場合と、濃度を調整して印刷した場合の印刷結果を示す。
図８に示すように、「２．１ 描画属性：グラフィック」で図示される図形、及び「２．２ 描画属性：写真イメージ」で掲載される写真の濃度は、通常印刷に比べて、濃度を調整して印刷した方が、薄く印刷されているが、文書中の文字「１．概要」は、通常印刷の場合と、濃度を調整して印刷した場合とで、同じ濃度で印刷されている。
【００４５】
以上、説明したように、本発明の実施形態に係る画像形成装置によれば、バッテリ残量に応じて、（グラフィック、イメージ、及び文字の）濃度調整係数を設定し、濃度を調整して（濃度を落として）印刷処理を実行することで、インクジェットヘッドの駆動電流を抑制し、消費電力を低減することができる。
また、文字部分のみの濃度を変更しないで（又は、少し落として）、印刷処理を実行することで、文字の可読性を維持することができる。
さらに、インクジェットヘッドのインク吐出の走査方向を、バッテリ残量に応じて、片方向（通常印刷）から双方向に切り替えて印刷することで、インクジェットヘッドの移動回数を減らすことができる。そのため、画像の解像度を落とすことなく、消費電力を低減することができる。
【符号の説明】
【００４６】
４１…受信データ制御部、４２…画像データ解析部、４３…操作部情報取得部、４４…バッテリ残量取得部、４５…描画方法選択部、４６…色変換データ取得部、４７…色変換処理部、４８…エンジン制御データ生成部、４９…エンジン動作指示部。
【先行技術文献】
【特許文献】
【００４７】
【特許文献１】特許公開２０１１−２４８６６３号公報
【図１】
2015217617.tif 000003
【図２】
2015217617.tif 000004
【図３】
2015217617.tif 000005
【図４】
2015217617.tif 000006
【図５】
2015217617.tif 000007
【図６】
2015217617.tif 000008
【図７】
2015217617.tif 000009
【図８】
2015217617.tif 000010